(57)【要約】【課題】電子レンジの運転時においても、スパークが生じない高周波加熱装置用載置台を提供することを目的とする。【解決手段】四角形状にワイヤで形成した外枠体１２と、この外枠体１２に架設した複数本の支持棒１３と、外枠体１２の角部に設けられた複数本の脚部１４と、脚部１４の端部に設けた耐熱性シリコンゴム１５（耐熱性絶縁材）とを有し、耐熱性シリコンゴム１５の厚さは、高周波加熱装置の加熱室２内での使用時に、外枠体１２及び支持棒１３と加熱室２の壁との間でスパークが生じないだけの距離を確保するものである。【選択図】図１
2010025488.tif 000002
【特許請求の範囲】
【請求項１】
四角形状にワイヤで形成した外枠体と、前記外枠体に架設した複数本の支持棒と、前記外枠体の角部に設けられた複数本の脚部と、前記脚部の端部に設けた耐熱性絶縁材とを有し、前記耐熱性絶縁体の厚さが、高周波加熱装置の加熱室内での使用時に、前記外枠体及び前記支持棒と前記加熱室の壁との間でスパークが生じないだけの距離を有する高周波加熱装置用載置台。
【請求項２】
前記耐熱性絶縁材に前記脚部を挿入する穴を設け、前記脚部は、前記耐熱性絶縁材に挿入し、先端をたたいて変形させた請求項１に記載の高周波加熱装置用載置台。
【発明の詳細な説明】
【技術分野】
【０００１】
本発明はオーブン電子レンジ等の高周波加熱装置に用いられる四角形の外枠体で形成した載置台に関するものである。
【背景技術】
【０００２】
一般に、この種の高周波加熱装置用載置台は、例えば図３に示すようなものである。図３に示すように、加熱室２内に被加熱物１を載置するターンテーブル台３、あるいはオーブン用受け皿４と、載置台５とを配設したあと、この載置台５上に被加熱物１を載置してヒータの熱により、加熱調理を行うようにしている。
【０００３】
一方、載置台５は、円形状（或いは略長方形状）の外枠体６と、この外枠体６に架設した複数本の支持棒７と、複数本の脚部８が断面円形の金属棒で構成され、脚部８の先端に耐熱性シリコンゴム９を取り付けたものである。
【０００４】
脚部８は、先端がＵ字状に曲げられており、耐熱性シリコンゴム９は、外枠体６に架設した複数本の支持棒７と平行になるような脚部８と同じ直径の孔か、或いは、脚部８より少し小さい直径の穴があけられている。
【０００５】
図４を参照しながら、耐熱性シリコンゴム９の取付方法について説明する。まず脚部８の先端に耐熱性シリコンゴム９を差し込む。次に曲げ部８ａの曲げ加工をする（図４（ａ））。さらに曲げ部８ｂの曲げ加工をする。
【０００６】
但し、曲げ部８ａの位置は曲げ部１４ｂの曲げ加工をした後で、耐熱性シリコンゴム９が脚部８の先端に当たらない位置関係にする（図４（ｂ））。最後に耐熱性シリコンゴム９を曲げ部８ａと曲げ部８ｂの間の位置にずらす（図４（ｃ））。
【０００７】
耐熱性シリコンゴム９は、脚部８の曲げ部８ａと曲げ部８ｂにより、位置規制される。そのため、脚部８先端のシャープなバリと耐熱性シリコンゴム９とが直接当たることはないので、オーブン調理やグリル調理の繰り返しにおいて、耐熱性シリコンゴム９に亀裂が生じることはない。
【０００８】
また、ここでは従来例として、脚部８先端のＵ字状部の底に耐熱性シリコンゴム９を用いたものを説明したが、少なくとも耐熱性シリコンゴムと同等かそれ以上の耐熱性と電気絶縁性を有する物質、例えばセラミック、四フッ化エチレン等からなる耐熱性絶縁材であってもよい。
【特許文献１】特開平８―１４５７９号公報
【発明の開示】
【発明が解決しようとする課題】
【０００９】
しかしながら、上記のような構成では、耐熱性シリコンゴム９を取り付けない載置台５を用いる部分は、電子レンジの無負荷運転時においてオーブン用受け皿４の上に載置台５に直接載置した時、脚部８先端とオーブン用受け皿４の接触部の電界密度が高くなり、スパークが生じるという問題を有していた。
【００１０】
また、オーブン用受け皿４を設けない加熱室２内の底面２ａがフラットなタイプにおいても、載置台５を加熱室２の側壁２ｂに接近して置き、外枠体６及び支持棒７と加熱室２の側壁２ｂとの間でスパークが生じるという問題を有していた。
【００１１】
そこで本発明は、載置台の外枠体及びこの外枠体に架設した支持棒の端部を加熱室内の壁に接近して使用しても、載置台と加熱室の壁との間でスパークが生じない高周波加熱装置用載置台を提供することを目的としている。
【課題を解決するための手段】
【００１２】
上記従来の課題を解決するために本発明の高周波加熱装置用載置台は、四角形状にワイヤで形成した外枠体と、前記外枠体に架設した複数本の支持棒と、前記外枠体の角部に設けられた複数本の脚部と、前記脚部の端部に設けた耐熱性絶縁材とを有し、前記耐熱性絶縁体の厚さが、高周波加熱装置の加熱室内での使用時に、前記外枠体及び前記支持棒と前記加熱室の壁との間でスパークが生じないだけの距離を有するものである。
【発明の効果】
【００１３】
本発明の高周波加熱装置用載置台によれば、高周波加熱装置の加熱室内での使用時に、外枠体及び前記支持棒と前記加熱室の壁との間で、スパークが生じることを防止できる。
【発明を実施するための最良の形態】
【００１４】
第１の発明は、四角形状にワイヤで形成した外枠体と、前記外枠体に架設した複数本の支持棒と、前記外枠体の角部に設けられた複数本の脚部と、前記脚部の端部に設けた耐熱性絶縁材とを有し、前記耐熱性絶縁体の厚さが、高周波加熱装置の加熱室内での使用時に、前記外枠体及び前記支持棒と前記加熱室の壁との間でスパークが生じないだけの距離を有するものである。
【００１５】
これにより、オーブン調理やグリル調理を繰り返し行ううえで、脚部に何らかの処理も施さなくても、脚部先端のシャープなバリと耐熱性絶縁材とが直接当たらず、耐熱性絶縁材に亀裂が生じない。
【００１６】
また、耐熱性絶縁材を取り付けることにより、電子レンジの無負荷運転時においてオーブン用受け皿の上に載置台を直接載置しても、脚部先端とオーブン用受け皿が接触することはなく、スパークが生じることを防止できる。
【００１７】
また、載置台を加熱室の底壁に直接載置した時も、加熱室の側壁に接近させては位置した時も、同様に脚部先端と加熱室の底壁及び側壁が接触することはなく、スパークが発生することを防止できる。
【００１８】
第２の発明は、第１の発明において、前記耐熱性絶縁材に前記脚部を挿入する穴を設け、前記脚部は、前記耐熱性絶縁材に挿入し、先端をたたいて変形させたものである。
【００１９】
これにより、簡単な構成で料理中及び載置台を洗っている最中に、載置台の脚部が容易に外れてしまうことを防止できる。
【００２０】
以下、本発明の実施の形態について、図面を参照しながら説明する。なお、本実施の形態によって本発明が限定されるものではない。
【００２１】
（実施の形態）
図１、２はそれぞれ、本実施の形態における高周波加熱装置用載置台の斜視図、本実施の形態における高周波加熱装置用載置台の脚部の腰部拡大図を示すものである。
【００２２】
図１に示すように、載置台１１は、金属製のワイヤを略長方形状に成形して構成した外枠体１２と、この外枠体１２に複数本の金属製の支持棒１３を架設して作成されている。
【００２３】
外枠体１２の４つの角部には、それぞれ断面円形の金属棒で構成された脚部１４が、下方に向けて取り付けられ、図２に示すように、この脚部１４の先端には、耐熱性シリコンゴム１５（耐熱性絶縁体）が、取り付けられている。
【００２４】
この脚部１４の先端には、耐熱性シリコンゴム１５（耐熱性絶縁体）が、取り付けられている。脚部１４の先端部は、耐熱性シリコンゴム１５に設けられた穴に、挿入されている。耐熱性シリコンゴム１５の穴の内径は、脚部１４先端の外径より小さい寸法に形成すれば、耐熱性シリコンゴム１５が脚部１４から抜けにくく構成できる。
【００２５】
また、加熱室２内の底面２ａへの載置台１１の投影において、外枠体１２及び支持棒１３よりも脚部１４が外側に位置するように脚部１４を取り付けている。
【００２６】
次に、高周波加熱装置用載置台の使用方法について説明する。
【００２７】
まず、オーブン調理等のため載置台１１を使用する場合は、載置台１１を加熱室２内にセットする。この時、載置台１１を加熱室２の側壁２ｂに接近して配置した場合、外枠体１２及び支持棒１３と加熱室２の側壁２ｂとの間でスパークが生じ易くなる。
【００２８】
そこで、脚部１４に取り付けた耐熱性シリコンゴム１５の寸法、（特に、厚さ寸法）を約４、５ｍｍ程度にすることにより、外枠体１２及び支持棒１３と加熱室２の側壁２ｂとの間でスパークが生じないだけの絶縁距離を確保でき、スパークを防止できる。
【００２９】
また、載置台１１の外枠体１２の辺を平行あるいは垂直以外に、外枠体１２の角を加熱室２の側壁２ｂに接近させた場合であっても、脚部１４に取り付けられた耐熱性シリコンゴム１５により、載置台１１と加熱室２の側壁２ｂとの間でスパークが生じないだけの絶縁距離を確保でき、スパークを防止できる。
【００３０】
なお、本実施の形態では、載置台１１の載置部分の形状として略長方形状の場合について説明したが、この形状に限定されるものでなく、食品が載置される矩形のものであればよい。
【００３１】
また、本実施の形態では、脚部１４の先端に耐熱性シリコンゴム１５を用いた場合につき説明したが、少なくとも耐熱性シリコンゴムと同等かそれ以上の耐熱性と電気絶縁性を有する物質、例えばセラミック、四フッ化エチレン等からなる耐熱性絶縁材であってもよい。
【００３２】
また、本実施の形態では、耐熱性シリコンゴム１５の穴の内径を脚部１４の先端の外径より小さい寸法に形成し、耐熱性シリコンゴム１５が脚部１４から抜けにくくしたが、本発明はこれに限定されるものではなく、脚部１４端部を耐熱性シリコンゴム１５の穴に挿入し、挿入後に耐熱性シリコンゴム１５の上から脚部１４をたたく等、圧力を加えることにより外径を大きくなるよう変形させて、耐熱性シリコンゴム１５の穴から脚部１４が抜けにくくしてもよい。
【００３３】
以上のように本発明の高周波加熱装置用載置台においては、次の効果が得られる。
【００３４】
（１）脚部端部に耐熱性絶縁材を設けることにより、オーブン調理やグリル調理を繰り返し行ううえで、脚部が何らかの処理を施さなくても、加工工程の切断時に生じる脚部先端のシャープなバリと耐熱性絶縁材とが直接当たらず、耐熱性絶縁材に亀裂が生じることはない。
【００３５】
また、耐熱性絶縁材を取り付けることにより、電子レンジの無負荷運転時においてオーブン用受け皿の上に載置台を直接載置しても、脚部先端とオーブン用受け皿が接触することはなくスパークが生じることを防止できる。
【００３６】
さらに、載置台を加熱室の底壁に直接載置した時も同様に、脚部８の先端と加熱室２の底壁が接触することはなくスパークが発生することを防止できる。
【００３７】
（２）脚部先端のＵ字状成形や、脚部の先端形状のＣ０．５程度の処理や、脚部と耐熱性シリコンゴムのシリコン性接着剤での固定が必要でなくなり、載置台の製造時間が短縮でき低コスト化が図れる。
【００３８】
（３）本発明は簡単な構成で、料理中及び載置台を洗っている最中に脚部が容易に外れるのを防止できる。
【産業上の利用可能性】
【００３９】
本発明の高周波加熱装置用載置台は、耐熱性絶縁体の厚さは、高周波加熱装置の加熱室内での使用時に、外枠体及び支持棒と加熱室の壁との間でスパークが生じないだけの距離を確保するものとなるので、載置台使用機会が多い用途にも適用できる。
【図面の簡単な説明】
【００４０】
【図１】本発明の実施の形態における高周波加熱装置用載置台の斜視図
【図２】本発明の実施の形態における高周波加熱装置用載置台の脚部の要部拡大図
【図３】従来の高周波加熱装置用載置台を使用した高周波加熱装置の正面斜視図
【図４】従来の高周波加熱装置用載置台における耐熱性シリコンゴム取付け方法を示す工程図
【符号の説明】
【００４１】
２  加熱室
２ａ  底面
２ｂ  側壁
１１  載置台
１２  外枠体
１３  支持棒
１４  脚部
１５  耐熱性シリコンゴム（耐熱性絶縁材）
【図１】
2010025488.tif 000003
【図２】
2010025488.tif 000004
【図３】
2010025488.tif 000005
【図４】
2010025488.tif 000006